(57)【特許請求の範囲】
【請求項１】
前身頃と、後身頃と、前記前身頃と後身頃の間に設けた左右の脇身頃と、汗を吸収することができる吸汗部材とを有し、
前記吸汗部材を、少なくとも前記脇身頃の脇部内側に設け、
前記吸汗部材の前後方向の横幅と、それに対応する脇身頃の前後方向の横幅とを同じに形成し、
前記吸汗部材の前身頃側端部を、前記脇身頃の前身頃側端部と共に前記前身頃の側端部に縫接し、前記吸汗部材の後身頃側端部を、前記脇身頃の後身頃側端部と共に前記後身頃の側端部に縫接し、
前記吸汗部材の上下方向における腕側端と、前記脇身頃の腕側端部との間が、開口しないことを特徴とする被服。
【請求項２】
前記吸汗部材の横方向における脇線より前身頃側の長さが、その位置における脇線より後身頃側の長さよりも長いことを特徴とする請求項１記載の被服。
【請求項３】
前記吸汗部材の首側端の前身頃側端が、前記吸汗部材の首側端の後身頃側端よりも首側に位置することを特徴とする請求項１又は２記載の被服。
【請求項４】
前記脇身頃を構成する布地を延長し、これを折り返して、前記吸汗部材としたことを特徴とする請求項１乃至３の何れか１項に記載の被服。
【請求項５】
袖を有する前記被服において、
前記吸汗部材の上下方向における腕側端部を、被服の袖口部に縫接したことを特徴とする請求項１乃至３の何れか１項に記載の被服。
【請求項６】
前記吸汗部材と脇身頃との間に、汗が透過しない非透過部材を配設したことを特徴とする請求項１乃至５の何れか１項に記載の被服。
【発明の詳細な説明】
【技術分野】
【０００１】
本発明は、被服に関する。
【背景技術】
【０００２】
従来、脇部に楕円状の汗取りパッドを取り付けた被服が知られている。この汗取りパッドの略半部が、その周縁部を被服本体の脇部に対して、円弧状に強固に縫いつけて固定され、それ以外の部分は被服本体に対して固定されていない（例えば、特許文献１参照）。
【先行技術文献】
【特許文献】
【０００３】
【特許文献１】特開２００８−８８５９８号公報
【発明の概要】
【発明が解決しようとする課題】
【０００４】
前記従来の楕円状の汗取りパッドは、その周縁部が被服本体に対して縫付けるために、その円弧状の縫付線が外部から視認され、汗取りパッドが被服に取り付けてあることが一目で分かってしまい、外観が損なわれるという問題がある。
【０００５】
また、汗取りパッドは、その周縁部が被服本体に対して強固に縫付けるため、周縁部が、使用者の脇の下部に当たると、違和感やゴワゴワ感が生じ、着心地に影響を与えるという問題がある。
【０００６】
そこで、本発明は、上記問題点を解決した被服を提供することを目的とするものである。
【課題を解決するための手段】
【０００７】
前記の課題を解決するために、請求項１記載の発明は、前身頃と、後身頃と、前記前身頃と後身頃の間に設けた左右の脇身頃と、汗を吸収することができる吸汗部材とを有し、
前記吸汗部材を、少なくとも前記脇身頃の脇部内側に設け、
前記吸汗部材の前後方向の横幅と、それに対応する脇身頃の前後方向の横幅とを同じに形成し、
前記吸汗部材の前身頃側端部を、前記脇身頃の前身頃側端部と共に前記前身頃の側端部に縫接し、前記吸汗部材の後身頃側端部を、前記脇身頃の後身頃側端部と共に前記後身頃の側端部に縫接し、
前記吸汗部材の上下方向における腕側端と、前記脇身頃の腕側端部との間が、開口しないことを特徴とするものである。
【０００８】
請求項２記載の発明は、請求項１記載の発明において、前記吸汗部材の横方向における脇線より前身頃側の長さが、その位置における脇線より後身頃側の長さよりも長いことを特徴とするものである。
【０００９】
請求項３記載の発明は、請求項１又は２記載の発明において、前記吸汗部材の首側端の前身頃側端が、前記吸汗部材の首側端の後身頃側端よりも首側に位置することを特徴とするものである。
【００１０】
請求項４記載の発明は請求項１乃至３の何れか１項に記載の発明において、前記脇身頃を構成する布地を延長し、これを折り返して、前記吸汗部材としたことを特徴とするものである。
【００１１】
請求項５記載の発明は、請求項１乃至３の何れか１項に記載の発明において、袖を有する前記被服において、
前記吸汗部材の上下方向における腕側端部を、被服の袖口部に縫接したことを特徴とするものである。
【００１２】
請求項６記載の発明は、請求項１乃至５の何れか１項に記載の発明において、前記吸汗部材と脇身頃との間に、汗が透過しない非透過部材を配設したことを特徴とするものである。
【発明の効果】
【００１３】
本発明によれば、吸汗部材の前後方向の横幅と、それに対応する脇身頃の前後方向の横幅とを同じに形成し、吸汗部材の前身頃側端部を、脇身頃の前身頃側端部と共に前記前身頃の側端部に縫接し、吸汗部材の後身頃側端部を、脇身頃の後身頃側端部と共に前記後身頃の側端部に縫接したことにより、前身頃及び後身頃と脇身頃との縫接ラインと、被服に対する吸汗部材の取付ラインとが同じライン上に位置し、被服に吸汗部材が取り付けられていることが、外部からでは分かりにくくなり、被服の外観が損なわれることがない。
【００１４】
また、脇身頃が、前身頃の両側に位置することから、前身頃及び後身頃と脇身頃との縫接ラインが、脇の下部には位置せず、すなわち、吸汗部材の取付線が、脇の下部に接触することがなく、違和感やゴワゴワ感が生じたり、着心地に悪影響を与えることがない。
【図面の簡単な説明】
【００１５】
【図１】本発明の実施例１における斜視図。
【図２】図１の前面図。
【図３】図１の後面図。
【図４】図１の右側面図。
【図５】図４のＡ−Ａ線端面図。
【図６】図４のＢ―Ｂ線端面図。
【図７】本発明の実施例１に用いる脇身頃と吸汗部材と非透過部材との関係を説明するための斜視図。
【図８】本発明の実施例１に用いる脇身頃及び吸汗部材と、非透過部材の展開図。
【図９】図１における吸汗部材の位置を示す斜視図。
【図１０】本発明の実施例２における斜視図。
【図１１】図１０の前面図。
【図１２】図１０の後面図。
【図１３】図１０の部分縦端面図。
【図１４】本発明の実施例２における吸汗部材を示す斜視図。
【図１５】本発明の実施例２に用いる脇身頃と吸汗部材と非透過部材との関係を説明するための斜視図。
【発明を実施するための形態】
【００１６】
本発明を実施するための形態を図１乃至図１５に示す実施例に基づいて説明する。
【実施例１】
【００１７】
本発明の被服を、タンクトップに適用した実施例１について図１乃至図９に基づいて説明する。
【００１８】
タンクトップ（被服）１は、図１〜４に示すように、前身頃２と後身頃３を有し、前身頃２の左右の両側部で、かつ、前身頃２と後身頃３との間には脇身頃４，４が配設されている。
【００１９】
前記脇身頃４は、図１〜４に示すように、その下端（胴側端）が、前身頃２と後身頃３の下端と同じ位置に位置し、その上端（首側端）５ｄが、使用者の脇の下部に位置するように形成されている。
【００２０】
前記脇身頃４の上部の内側には、脇部の汗を吸収することができる吸汗部材５が設けられている。前記脇身頃４と吸汗部材５とは、図８に示すように、汗を吸収することができる同じ布地で一連に構成され、図８に示すように、この一枚の布地の上部（上下方向における腕側部）を、内側に折り返し、この折り返した部分が、前記吸汗部材５を構成している。すなわち、前記脇身頃４を構成する布地を延長し、これを折り返して前記吸汗部材５としている。
【００２１】
したがって、前記吸汗部材５の上端（上下方向における腕側端）５ｄと脇身頃４の上端とは分断されることなく連続し、その間は開口していない。前記吸汗部材５の前後方向の横幅は、図２，３，６，８，９に示すように、それに対応する脇身頃４の前後方向の横幅と略同じ大きさに形成されている。
【００２２】
前記脇身頃４と吸汗部材５の間には、汗を透過しない布地からなる非透過部材６が配設されている。非透過部材６は、図８に示すように、吸汗部材５と略同じ形状に形成されている。
【００２３】
前記吸汗部材５と非透過部材６の前身頃側端部（前側端部）５ａ，６ａは、脇身頃４の前身頃側端部４ａとともに、前身頃２の側端部２ａに縫接１０ａされている。また、吸汗部材５と非透過部材６の後身頃側端部（後側端部）５ｂ，６ｂは、脇身頃４の後身頃側端部４ｂとともに、後身頃３の側端部３ａに縫接１０ｂされている。前身頃２と脇身頃４との縫接部１０ａと、後身頃３と脇身頃４との縫接部１０ｂは、図６に示すように、タンクトップ１の内側で行われ、縫接部１０ａ，１０ｂは外部から視認できないようになっている。また、前身頃２と脇身頃４との接合ライン９ａ、及び、後身頃３と脇身頃４との接合ライン９ｂは、図２，３に示すように、プリンセスラインを構成し、タンクトップ１のデザインの一部を構成している。
【００２４】
前記吸汗部材５と非透過部材６とは、図５に示すように、その下端部５ｅ，６ｅで相互に縫接５ｃされているが、その上端部５ｄは縫接されていない。また、図５に示すように、吸汗部材５及び非透過部材６の下端５ｅ，６ｅと脇身頃４との間は縫接されておらず、非透過部材６の下端６ｅと脇身頃４との間は開口（分離）しており、吸汗部材５及び非透過部材６が取り付けられているか否かは、外部からでは分り難くなっている。
【００２５】
前記吸汗部材５は、少なくとも使用者の脇部に位置すればよく、吸汗部材５の下端５ｅの位置は、図２〜４，９に示す位置以外にも任意の位置に設定することができる。
【００２６】
前記吸汗部材５の上端（首側端）５ｄ、すなわち、図４に示すように、脇身頃４の上端は、前身頃側（前側）から後身頃側（後側）に向かうほど下方に傾斜するように形成され、吸汗部材５が、使用者の脇の下部にフィットするようになっている。すなわち、吸汗部材５の上端５ｄの前身頃側端４ｃが、その上端５ｄの後身頃側端４ｄよりも上方（首側）に位置するようになっている。前記吸汗部材５（脇身頃４）の横方向（周方向）における脇線７より前身頃側の長さＬ１は、図２〜４，６に示すように、吸汗部材５（脇身頃４）の横方向（周方向）における、この位置に対応する脇線７より後身頃側の長さＬ２よりも長く設定されている。すなわち、吸汗部材５における脇線７より前側の面積は、吸汗部材５における脇線７より後ろ側の面積よりも大きく設定されている。
【００２７】
前身頃２と後身頃３と脇身頃４と吸汗部材５は、汗を吸収することができる布地で形成されている。この布地としては、汗を吸収することができる布地（生地）であれば任意の布地を用いることができ、例えば、綿、ポリエステル、レーヨン等の繊維からなる布地を用いることができる。本実施例１においては、前身頃２と後身頃３と脇身頃４と吸汗部材５には、モダールクールプラス（モリリン（株）社製、繊維配合率：綿６０％、ポリエステル３５％、ポリウレタン５％）を用いた。なお、上記実施例１においては、前身頃２と、後身頃３と、脇身頃４及び吸汗部材５とを全て同じ布地で形成したが、異なる布地で形成しても良い。
【００２８】
前記非透過部材６は、汗を透過しない布地で形成され、この布地としては、汗を透過しないものであれば任意の布地を用いることができ、例えば、水（汗）をはじくことができる防水布を用いることができ、本実施例においては、ポリエステル１００％の布地を表地とし、ポリウレタン１００％の布地を裏地となるように張り合わせた防水布を用いた。
【００２９】
本発明のタンクトップ（被服）１は、上記のような構造、構成により次のような作用、効果を発揮することができる。
【００３０】
吸汗部材５の前身頃側端部５ａは、脇身頃４の前身頃側端部４ａとともに、前身頃２の側端部２ａに内側で縫接され、吸汗部材５の後身頃側端部５ｂは、脇身頃４の後身頃側端部４ｂとともに、後身頃３の側端部３ａに内側で縫接されていることにより、前身頃及び後身頃と脇身頃との縫接部１０ａ，１０ｂと、被服に対する吸汗部材５の縫接部とが同じ線上に位置し、かつ、その縫接を被服１の内側で行ったことにより、被服１に対して、吸汗部材５が取り付けられているか否かが、外部からでは分かりにくく、被服１の外観が損なわれることがない。更に、前身頃２と脇身頃４（吸汗部材５）との間の接合ライン９ａ、及び、後身頃３と脇身頃４（吸汗部材５）との間の接合ライン９ｂを、プリンセスラインとなるように形成して、意匠の一部を構成し、余分なラインが生じないことから、より被服１に対して、吸汗部材５が取り付けられているか否かが、外部からでは分かりにくく、被服１の外観が損なわれることがない。
【００３１】
また、腕の可動域は、身体の後方よりも前方の方が広く、脇部に発生する汗の量も、脇の後部よりも前部のほうが多いため、前記のように、吸汗部材５における脇線７より前側の面積を、吸汗部材５における脇線７より後ろ側の面積よりも大きく設定したことで、発汗しやすい場所に吸汗部材５を配置して、より快適な着心地とすることができる。
【００３２】
また、吸汗部材５の上端５ｄが、前身頃側から後身頃側に向かうほど下方に傾斜するように形成した、すなわち、吸汗部材５の首側端（上端）５ｄの前身頃側端４ｃが、吸汗部材５の首側端（上端）５ｄの後身頃側端４ｄよりも首側（上方）に位置するように形成したことにより、吸汗部材５が使用者の脇部にフィットして、より汗を吸収しやすくなり、快適な着心地とすることができる。
【００３３】
また、吸汗部材５以外にも、前身頃２と後身頃３と脇身頃４を、汗を吸収することができる布地で構成したことにより、この被服で覆われた上半身で発生した汗を被服全体で吸収することができ、快適な着心地とすることができる。
【００３４】
更に、脇身頃４と吸汗部材５の間に、汗を透過しない布地からなる非透過部材６を設けたことにより、吸汗部材５で吸収した汗が、被服１の脇身頃４へと染み出すことを抑制できる。
【００３５】
なお、上記実施例１においては、脇身頃４と吸汗部材５とを一連の布地で構成し、この布地の一部を折り返して、一重の布地からなる吸汗部材５としたが、この布地を長く形成して、その布地の一部を２重、３重等となるように脇身頃４の内側に折り返して、布地を２重、３重等に折り重ねて吸汗部材５としてもよい。
【００３６】
また、上記実施例１においては、脇身頃４と吸汗部材５との間に、非透過部材６を設けたが、非透過部材６は設けなくても良い。
【実施例２】
【００３７】
本発明の被服を、Ｔシャツに適用した実施例２について図１０乃至図１５に基づいて説明する。
【００３８】
Ｔシャツ（被服）１１は、図１０〜１２に示すように、前記実施例１と同様に、第１前身頃２と第１後身頃３を有し、第１前身頃２の左右の両側部で、かつ、第１前身頃２と第１後身頃３との間には第１脇身頃４，４が配設されている。
【００３９】
左右に設けられた袖１５は、第２前身頃１２と第２後身頃１３と、第２前身頃１２と第２後身頃１３の下部の間に設けられた第２脇身頃１４で構成され、第２前身頃１２と第２後身頃１３は一枚の布地で構成されている。前記第１脇身頃４と第２脇身頃１４とは、図１５に示すように、一枚の布地で一連に構成され、第２脇身頃１４の腕側端は、袖口１５ａに位置している。
【００４０】
前記第１脇身頃４の上部、及び、第２脇身頃１４の全体の内側には、図１３に示すように、脇身頃４，１４とは別部材の、脇部の汗を吸収することができる吸汗部材１６が設けられている。該吸汗部材１６の前後方向の横幅は、それに対応する脇身頃４，１４の前後方向の横幅と略同じ大きさに形成されている。前記吸汗部材１６の長手方向（上下方向）における腕側端１６ｃは、袖口１５ａ近傍に位置し、その端部１６ｃは第２脇身頃１４の袖口部１４ａに縫接１５ｂされて、吸汗部材１６の腕側端１６ｃと脇身頃１４との間は開口していない。また、吸汗部材１６の長手方向における胴側端１６ａは、使用者の脇の下部に位置するように形成されている。吸汗部材１６は、使用者の脇部に位置すればよく、その胴側端１６ａは、図１１〜１４に示す位置以外にも任意の位置に設定することができる。
【００４１】
脇身頃４，１４と吸汗部材１６の間には、汗を透過しない布地からなる非透過部材１７が配設されている。非透過部材１７は、吸汗部材１６と略同じ形状に形成されている。非透過部材１７の腕側端１７ａを、本実施例２においては、図１３に示すように、袖口１５ａ近傍に位置するように形成したが、非透過部材１７は、少なくとも脇部に位置すれば良く、その腕側端１７ａは任意の位置に設定することができる。
【００４２】
前記実施例１と同様に、前記吸汗部材１６と非透過部材１７の前身頃側端部（前側端部）は、脇身頃４，１４の前身頃側端部とともに、前身頃２の側端部に縫接され、吸汗部材１６と非透過部材１７の後身頃側端部（後側端部）は、脇身頃４，１４の後身頃側端部とともに、後身頃３の側端部に縫接されている。前身頃２と脇身頃４，１４（吸汗部材１６）との縫い合わせと、後身頃３と脇身頃４，１４（吸汗部材１６）との縫い合わせは、前記実施例１と同様に、Ｔシャツ１１の内側で行われ、縫接部は外部から視認できないようになっている。また、前身頃２と脇身頃４，１４との接合ライン１９ａ、及び、後身頃３と脇身頃４，１４との接合ライン１９ｂは、図１１，１２に示すように、プリンセスラインを構成し、Ｔシャツ１１のデザインの一部を構成している。
【００４３】
前記吸汗部材１６と非透過部材１７とは、図１３に示すように、その胴側端部１６ａ，１７ｂで縫接１６ｂされているが、吸汗部材１６及び非透過部材１７の胴側端部１６ａ，１７ｂと脇身頃４，１４との間は縫接されておらず、吸汗部材１６及び非透過部材１７の下端部１６ａ，１７ｂと脇身頃４，１４との間は開口しており、吸汗部材１６及び非透過部材１７が取り付けられているか否かは、外部からでは分り難くなっている。
【００４４】
前記袖１５を、図１１，１２に示すように、その袖口１５ａが下方に位置した状態において、前記吸汗部材１６の上端（首側端）、すなわち、脇身頃４の上端の前身頃側端４ｃが、その上端の後身頃側端４ｄよりも上方（首側）に位置するようになっている。これにより、吸汗部材１６が使用者の脇の下部にフィットするようになっている。
【００４５】
前記実施例１と同様に、前記吸汗部材１６（脇身頃４，１４）の横方向（周方向）における脇線１８より前身頃側の長さは、図１１，１２に示すように、吸汗部材１６（脇身頃４，１４）の横方向（周方向）における、この位置に対応する脇線１８より後身頃側の長さよりも長く設定されている。すなわち、吸汗部材１６における脇線１８より前側の面積は、吸汗部材１６における脇線１８より後ろ側の面積よりも大きく設定されている。
【００４６】
前身頃２と後身頃３と脇身頃４，１４と吸汗部材１６は、前記実施例１と同様に、汗を吸収することができる布地で形成され、前記実施例１と同様の布地を用いることができる。
【００４７】
前記非透過部材１７は、前記実施例１と同様に、汗を透過しない布地で形成され、前記実施例１と同様の布地を用いることができる。
【００４８】
本実施例２においても、前記実施例１と同様の作用、効果を発揮することができる。
【００４９】
なお、前記実施例２においては、吸汗部材１６を一重の布地で構成したが、布地を２重、３重等に複数枚重ねて構成しても良い。
【００５０】
また、前記実施例２においては、脇身頃４，１４と吸汗部材１６とを別の布地で構成したが、前記実施例１のように、一枚の布地で一連に構成しても良い。
【００５１】
また、上記実施例２においては、脇身頃４，１４と吸汗部材１６との間に、非透過部材１７は設けたが、非透過部材１７は設けなくても良い。
【実施例３】
【００５２】
上記実施例１，２は、本発明の被服を、タンクトップ、Ｔシャツに適用した例であるが、前身頃２と後身頃３と脇身頃４を有する被服であれば、任意の被服に対して、本発明を適用することができ、例えば、長袖シャツ、キャミソール、ワンピース、スリップ等の被服に適用することができる。
【符号の説明】
【００５３】
１  被服
２，１２  前身頃
３，１３  後身頃
４，１４  脇身頃
５，１６  吸汗部材
７，１８  脇線  
６，１７非透過部材
１５  袖
【図１】
0005528909.tif 000002
【図２】
0005528909.tif 000003
【図３】
0005528909.tif 000004
【図４】
0005528909.tif 000005
【図５】
0005528909.tif 000006
【図６】
0005528909.tif 000007
【図７】
0005528909.tif 000008
【図８】
0005528909.tif 000009
【図９】
0005528909.tif 000010
【図１０】
0005528909.tif 000011
【図１１】
0005528909.tif 000012
【図１２】
0005528909.tif 000013
【図１３】
0005528909.tif 000014
【図１４】
0005528909.tif 000015
【図１５】
0005528909.tif 000016